(57)【要約】      （修正有）【課題】簡素な構造で安価に製造できるインパルス電熱密封機を提供する。【解決手段】移送方向に移送される充填袋２の上方に配置されるインパルス電熱密封機本体７に、駆動部、電磁クラッチ、チェーン、ピニオン及びＣＰラックを介して、前記充填袋の移送速度に同調しつつ前記移送方向に移動する一対のインパルスヒータ部８と、一対のインパルスヒータ部８で充填袋２の上端両側を押圧密封し、密封終了後、インパルスヒータ部８の押圧加熱を釈放する第１のエアシリンダと、インパルスヒータ部８をその始動原位置に復帰させる第２のエアシリンダとを備える。インパルス電熱密封機本体７の一対のインパルスヒータ部８の下方に、充填袋２の所定上部の窄んだ状態を保持しつつ充填袋２の所定上部の両側を移送方向に沿って案内する一対のガイド１０、１０が設けられる。【選択図】図２
0003145028.tif 000002
【実用新案登録請求の範囲】
【請求項１】
移送方向に移送される充填袋の上方に配置されるインパルス電熱密封機本体に、駆動部、電磁クラッチ、チェーン、ピニオン及びＣＰラックを介して、前記充填袋の移送速度に同調しつつ前記移送方向に移動する一対のインパルスヒータ部と、前記一対のインパルスヒータ部で前記充填袋の上端両側を押圧密封し、密封終了後、前記インパルスヒータ部の押圧加熱を釈放する第１のエアーシリンダと、前記インパルスヒータ部をその始動原位置に復帰させる第２のエアーシリンダとを備えたインパルス電熱密封機において、
前記インパルス電熱密封機本体の前記一対のインパルスヒータ部の下方に、前記充填袋の所定上部の窄んだ状態を保持しつつ前記充填袋の所定上部の両側を前記移送方向に沿って案内する一対のガイドが設けられた、
ことを特徴とするインパルス電熱密封機。
【請求項２】
前記充填袋上端のインパルスヒータ部の押圧加熱が、テフロン（登録商標）シートを介して行われることを特徴とする請求項１に記載のインパルス電熱密封機。
【請求項３】
前記インパルスヒータ部の充填袋加熱時に、介在使用するテフロン（登録商標）シートが、汚染状態に応じて、巻取り式且つ間欠的に移送されることを特徴とする請求項２に記載のインパルス電熱密封機。
【考案の詳細な説明】
【技術分野】
【０００１】
本考案は、インパルス電熱密封機、詳しくは種々な産業用、食料料、飼料用等の粉体又は粒体物品或はこれらに均等な物品を、電気インパルス熱を利用して合成樹脂（ポリ単袋及び内層ポリ袋）袋内へ能率良く密封するインパルス電熱密封機に関する。
【背景技術】
【０００２】
従来、この様な物品のインパルス電熱密封機は、店頭用及び産業用を問わず多数提案され、使用されている。
【０００３】
例えば、コンベア移送の充填袋の所定上部を、一対の送袋チェーンで挟持してコンベアと同調移送し、所定時間後、送袋チェーン駆動部、電磁クラッチ、チェーン、ピニオン及びＣＰラックを介して、送袋チェーンの移送速度に同調しつつ移動する一対のインパルスヒータで上記充填袋の上端両側を押圧密封し、密封終了後、インパルスヒータの押圧加熱を釈放し、該インパルスヒータをエアーシリンダによってその始動原位置に復帰させるようにしたインパルス電熱密封機は、特許文献１に開示されるように公知である。
【０００４】
【特許文献１】特許第３７７０７６４号公報
【考案の開示】
【考案が解決しようとする課題】
【０００５】
上記インパルス電熱密封機は、コンベア移送の充填袋の所定上部を、一対の送袋チェーンで挟持してコンベアと同調移送する構成を備えているものである。このため、一対の送袋チェーン及び動力伝達用のスプロケットを充填袋の両側に配設しなければならず、構造が複雑であるだけでなく、その分の製造コストがかかる。
【０００６】
そこで、本考案は、これに鑑みてなされたもので、その目的は、充填袋を挟持して移送する一対の送袋チェーン及び動力伝達用のスプロケットが不用であって、簡素な構造で、安価に製造できるインパルス電熱密封機を提供するものである。
【課題を解決するための手段】
【０００７】
請求項１に係るインパルス電熱密封機は、移送方向に移送される充填袋の上方に配置されるインパルス電熱密封機本体に、駆動部、電磁クラッチ、チェーン、ピニオン及びＣＰラックを介して、前記充填袋の移送速度に同調しつつ前記移送方向に移動する一対のインパルスヒータ部と、前記一対のインパルスヒータ部で前記充填袋の上端両側を押圧密封し、密封終了後、前記インパルスヒータ部の押圧加熱を釈放する第１のエアシリンダと、前記インパルスヒータ部をその始動原位置に復帰させる第２のエアーシリンダとを備えたものであって、上記課題を解決するために、前記インパルス電熱密封機本体の前記一対のインパルスヒータの下方に、前記充填袋の所定上部の窄んだ状態を保持しつつ前記充填袋の所定上部の両側を前記移送方向に沿って案内する一対のガイドが設けられたことを特徴とする。
【０００８】
請求項２に係るインパルス電熱密封機は、請求項１に係るインパルス電熱密封機において、前記充填袋上端のインパルスヒータ部の押圧加熱が、テフロン（登録商標）シートを介して行われることを特徴とするものである。
【０００９】
請求項３に係るインパルス電熱密封機は、請求項２に係るインパルス電熱密封機において、前記インパルスヒータ部の充填袋加熱時に、介在使用するテフロン（登録商標）シートが、汚染状態に応じて、巻取り式且つ間欠的に移送されることを特徴とするものである。
【考案の効果】
【００１０】
請求項１に係るインパルス電熱密封機によれば、移送方向に移送されている充填袋は、インパルスシール部の前記一対のインパルスヒータの下方に設けられた一対のガイドによって、充填袋の所定上部の窄んだ状態を保持しつつ充填袋の所定上部の両側をコンベアの移送方向に沿って案内される。この間、インパルスシール部は、駆動部、電磁クラッチ、チェーン、ピニオン及びＣＰラックを介して、コンベアの移送速度に同調しつつ移動する一対のインパルスヒータで充填袋の上端両側を押圧密封し、密封終了後、インパルスヒータの押圧加熱を釈放し、インパルスヒータをエアーシリンダによってその始動原位置に復帰させる。したがって、充填袋を挟持して移送する一対の送袋チェーン及び動力伝達用のスプロケットを用いていないので、簡素な構造で安価に製造できる。
【考案を実施するための最良の形態】
【００１１】
以下、本考案の実施の形態を図面を参照して説明する。図１は本考案の実施形態に係るインパルス電熱密封機を示す正面図であり、図２は図１のインパルス電熱密封機の側面図である。また、図３はインパルス電熱密封機における充填袋の密封操作を説明するための概略平面図である。
【００１２】
図１乃至図２において、符号１は、種々な産業用、食料用、飼料用等の粉体又は粒体物品或はこれらに均等な物品が内部に充填された充填袋２が載置された状態で、充填袋２を移送方向に所定の移送速度で移送する移送手段としてのコンベアである。
【００１３】
インパルス電熱密封機３は、床面上を移動可能な基台４と、基台４上の上下方向に沿って立設された支柱５と、支柱５に対して上下移動可能に設けられた支持アーム６と、支持アーム６に取り付けられたインパルス電熱密封機本体７を備えている。従って、インパルス電熱密封機本体７は、支持アーム６を介して支柱５に対して上下移動可能に設けられていると共に、コンベア１の上方に配置される。
【００１４】
インパルス電熱密封機本体７は、図１に示すように、充填袋２の移送方向Ｆ１における上流側に、充填袋２の移送速度に同調しつつ移送方向Ｆ１に移動する一対のインパルスヒータ部８が設けられ、充填袋２の移送方向Ｆ１における下流側に、電熱密封後の充填袋２に冷却エアーで吹き付けて冷却する冷却部９が設けられている。
【００１５】
本考案の特徴は、インパルス電熱密封機本体７の一対のインパルスヒータ部８、８の下方に、充填袋２の所定上部の窄んだ状態を保持しつつ充填袋２の所定上部の両側を前記移送方向Ｆ１に沿って案内する一対のガイド１０、１０が設けられていることである。
【００１６】
図２に示すように、ガイド１０、１０は、充填袋２の移送方向Ｆ１に沿って比較的長尺で、充填袋２の移送方向に直交する前後方向の厚みが薄い薄板状に形成され、充填袋２の上部の厚みよりもやや広い所定の間隔で互いに向き合うように配置されている。ガイド１０、１０は、充填袋２が到来する一端部分がその先端に向けて互いの間隔が徐々に広くなるように形成されている。このため、移送方向Ｆ１に移送されてくる充填袋２の所定上部の両側を確実にガイド１０、１０間に案内することができる。
【００１７】
図４は、インパルス電熱密封機における充填袋２の袋口密封時のガイド１０、１０とインパルスヒータ部８、８との位置関係を示す側面図である。図４に示すように、充填袋２の移送方向に直交する上下方向において中間部から下端に向けて、向けて互いの間隔が徐々に広くなるように形成されている。このため、ガイド１０、１０の上部で、充填袋２の所定上部の窄んだ状態を保持しつつ、ガイド１０、１０の下部にあっては充填袋２の内部の充填物による袋上部の膨らみに馴染むようになっている。
【００１８】
本実施形態のインパルス電熱密封機本体７は、その下方のコンベア１によって移送される充填袋２の上部を対向配置されたガイド１０、１０で案内し、コンベア１に同調移動するインパルスヒータ部８のインパルスヒータ１１によって、その袋口部２ａを電熱密封するように構成されている。
【００１９】
インパルスヒータ部８、８は、上述のように、ガイド１０、１０によって案内されて移送方向Ｆ１に移送される充填袋２と同調して所定距離移動する間に、一対のインパルスヒータ部８、８を互いに接近する方向に閉鎖する一方、一対のインパルスヒータ部８、８を互いに離間する方向に開放するエアシリンダ１２（第１のエアシリンダ）を有している（図１参照）。
【００２０】
インパルスヒータ部８、８のインパルスヒータ１１、１１を、互いに接近する方向Ｐ１に押圧して（図２、図４参照）、袋口部２ａを加熱溶着し、更に所定距離移動する間に、エアシリンダ１２の圧縮空気を釈放し、インパルスヒータ１１、１１の加圧接触を、互いに離間する方向Ｐ２の如く離脱させ、冷却部９で冷却エアーを吹きつけて前記溶着部を冷却させて運び出し、コンベア１の終端から袋詰め製品として取り出すように構成されている。
【００２１】
本考案の密封操作においては、インパルスヒータ１１、１１と袋口部２ａとの直接接触を防ぐため（袋の溶融を防ぐため）、図４に示すように、テフロン（登録商標）シート１３を介在させて密封するように構成すると共に、それぞれ一対の送り出しロール１４及び巻取りロール１５を設けて、汚染状態に応じ間欠的にテフロン（登録商標）シート１３を送り出し、この面の汚染による袋口の接着不良を防止するように構成し且つ操作する。また、上記インパルスヒータ部８、８は、コンベア１によって移送される充填袋２の袋口部２ａの移送方向Ｆ１に同調移動しながら充填袋２を電熱密封することは、上述の通りである。
【００２２】
一対のインパルスヒータ部８、８を移送方向に移動する移動機構は、概略として、図１に示すように、インパルス電熱密封機本体７の他端上部に配設された駆動部２０（駆動モータ）と、接続状態にあっては入力部に入力される駆動部２０の回転力を出力部に伝達する一方、離脱状態にあっては入力部に入力される駆動部２０の回転力の出力部への回転力伝達を断つ電磁クラッチ２１と、インパルス電熱密封機本体７の中央部に回転自在に設けられたピニオン２３と、電磁クラッチ２１の出力部とピニオン２３とに掛け回された回転力伝達用のチェーン２４と、ピニオン２３に噛合されると共に一対のインパルスヒータ部８、８及びエアシリンダ１２を支持するフレーム１６に取り付けられたＰＣラック２５とにより構成されている。
【００２３】
また、インパルス電熱密封機本体７の他端上部には、充填袋２と共に移動したインパルスヒータ部８、８をフレーム１６を介してその始動原位置に復帰させるエアシリンダ（第２のエアーシリンダ）１７が配設されている（図１参照）。
【００２４】
全体的な操作において、インパルス電熱密封機３は、先ず密封されるべき充填袋２の寸法に従って、その支持アーム６の高さ、コンベア１の運転速度、充填袋２の移送速度に同調させる駆動部２０の回転速度及びインパルスヒータ１１、１１の加熱温度等を調整並びに決定した後、始動される。
【００２５】
そして、コンベア１によって運ばれて来た充填袋２は、ガイド１０、１０間に案内され、充填袋２の所定上部の窄んだ状態を保持しつつ充填袋２の所定上部の両側を移送方向Ｆ１に沿って案内され、その袋口部２ａを、図４に示すように、一対のインパルスヒータ部８、８間に運び込まれて行く。
【００２６】
この時点で、袋検出用光電管スイッチ１８がオンし、袋検出用光電管スイッチ１８が発した信号によりインパルスヒータ部８、８が始動すると共に、駆動部２０が動作し、電磁クラッチ２１が接続状態となり、チェーン２４、ピニオン２３及びＣＰラック２５を介して、充填袋２の速度に同調しつつ移送方向Ｆ１に移動させ、それと同時にヒータ開閉用のエアシリンダ１２が動作して、インパルスヒータ部８、８を、互いに接近する方向に加圧押圧し、図２において符号８ａ、８ａで示すように接触させて袋口部２ａを溶着させる（図２参照）。
【００２７】
その後、インパルスヒータ部８、８は、時間ｔだけ移動して図２において符号８ｂ、８ｂで示す位置に到達する。次いで、インパルスヒータ部８、８は、エアシリンダ１２の圧力を釈放して、鎖線８ｃ、８ｃで示す位置に開放される。また、駆動部２０が停止すると共に電磁クラッチ２１が離脱状態となる。次いで、エアシリンダ１７が作動し、フレーム１６を介してインパルスヒーター部８、８が始動原位置に復帰される。
【００２８】
この間、開放されたインパルスヒータ部８、８から出た密封された充填袋２は、冷却部９に入り、冷却エアで袋口部２ａが冷却され、コンベア１の端部から製品として取り出される。
【００２９】
以上のようにして、インパルス電熱密封機３は、コンベア１で運ばれてくる充填袋２を、繰り返し連続して密封処理することが可能となる。したがって、本考案は、充填袋２を挟持して移送する一対の送袋チェーン及び動力伝達用のスプロケットを用いていないので、簡素な構造で、安価に製造できる。
【図面の簡単な説明】
【００３０】
【図１】本考案の実施形態に係るインパルス電熱密封機を示す正面図である。
【図２】図１のインパルス電熱密封機の側面図である。
【図３】インパルス電熱密封機における充填袋の密封操作を説明するための概略平面図である。
【図４】インパルス電熱密封機における充填袋の袋口密封時のガイドとインパルスヒータ部との位置関係を示す側面図である。
【符号の説明】
【００３１】
１  コンベア
２  充填袋
２ａ  袋口部
３  インパルス電熱密封機
４  基台
５  支柱
６  支持アーム
７  インパルス電熱密封機本体
８  インパルスヒータ部
９  冷却部
１０  ガイド
１１  インパルスヒータ
１２  エアシリンダ（第１のエアシリンダ）
１３  テフロン（登録商標）シート
１４  送り出しロール
１５  巻取りロール
１６  フレーム
１７  エアシリンダ（第２のエアシリンダ）
１８  袋検出用光電管スイッチ
２０  駆動部
２１  電磁クラッチ
２３  ピニオン
２４  チェーン
２５  ＣＰラック
【図１】
0003145028.tif 000003
【図２】
0003145028.tif 000004
【図３】
0003145028.tif 000005
【図４】
0003145028.tif 000006
【手続補正書】
【提出日】平成20年7月15日(2008.7.15)
【手続補正１】
【補正対象書類名】実用新案登録請求の範囲
【補正対象項目名】請求項１
【補正方法】変更
【補正の内容】
【請求項１】
移送方向に移送される充填袋の上方に配置されるインパルス電熱密封機本体に、
駆動部と、接続状態にあっては入力部に入力される前記駆動部の回転力を出力部に伝達する一方、離脱状態にあっては前記入力部に入力される前記駆動部の回転力の前記出力部への回転力伝達を断つ電磁クラッチと、前記電磁クラッチの出力部の回転力を回転自在に設けられたピニオンに伝達する回転力伝達用のチェーンと、前記ピニオンに噛合されるＣＰラックとにより構成された移動機構と、
前記移動機構を介して、前記充填袋の移送速度に同調しつつ前記移送方向に沿った始動原位置から移動終了位置まで移動される一対のインパルスヒータ部と、
前記一対のインパルスヒータ部と共に前記移送方向に移動され、前記移動中に、前記一対のインパルスヒータ部を互いに接近する方向に閉鎖することで前記充填袋の上端両側を押圧密封する一方、密封終了後、前記一対のインパルスヒータ部を互いに離間する方向に開放することで前記一対のインパルスヒータ部による押圧加熱を釈放する第１のエアーシリンダと、
前記移動終了位置にある前記一対のインパルスヒータ部及び前記第1のエアシリンダを前記始動原位置に復帰させる第２のエアーシリンダと、
を備えたインパルス電熱密封機において、
前記インパルス電熱密封機本体の前記一対のインパルスヒータ部の下方に、前記充填袋の所定上部の窄んだ状態を保持しつつ前記充填袋の所定上部の両側を前記移送方向に沿って案内する一対のガイドが設けられた、
ことを特徴とするインパルス電熱密封機。
【手続補正２】
【補正対象書類名】明細書
【補正対象項目名】０００７
【補正方法】変更
【補正の内容】
【０００７】
請求項１に係るインパルス電熱密封機は、移送方向に移送される充填袋の上方に配置されるインパルス電熱密封機本体に、駆動部と、接続状態にあっては入力部に入力される前記駆動部の回転力を出力部に伝達する一方、離脱状態にあっては前記入力部に入力される前記駆動部の回転力の前記出力部への回転力伝達を断つ電磁クラッチと、前記電磁クラッチの出力部の回転力を回転自在に設けられたピニオンに伝達する回転力伝達用のチェーンと、前記ピニオンに噛合されるＣＰラックとにより構成された移動機構と、前記移動機構を介して、前記充填袋の移送速度に同調しつつ前記移送方向に沿った始動原位置から移動終了位置まで移動される一対のインパルスヒータ部と、前記一対のインパルスヒータ部と共に前記移送方向に移動され、前記移動中に、前記一対のインパルスヒータ部を互いに接近する方向に閉鎖することで前記充填袋の上端両側を押圧密封する一方、密封終了後、前記一対のインパルスヒータ部を互いに離間する方向に開放することで前記一対のインパルスヒータ部による押圧加熱を釈放する第１のエアーシリンダと、前記移動終了位置にある前記一対のインパルスヒータ部及び前記第1のエアシリンダを前記始動原位置に復帰させる第２のエアーシリンダとを備えたものであって、上記課題を解決するために、前記インパルス電熱密封機本体の前記一対のインパルスヒータの下方に、前記充填袋の所定上部の窄んだ状態を保持しつつ前記充填袋の所定上部の両側を前記移送方向に沿って案内する一対のガイドが設けられたことを特徴とする。
【手続補正３】
【補正対象書類名】明細書
【補正対象項目名】００２７
【補正方法】変更
【補正の内容】
【００２７】
その後、インパルスヒータ部８、８は、時間ｔだけ移動して図２において符号８ｂ、８ｂで示す移動終了位置に到達する。次いで、インパルスヒータ部８、８は、エアシリンダ１２の圧力を釈放して、鎖線８ｃ、８ｃで示す位置に開放される。また、駆動部２０が停止すると共に電磁クラッチ２１が離脱状態となる。次いで、エアシリンダ１７が作動し、フレーム１６を介してインパルスヒーター部８、８が始動原位置に復帰される。